(57)【特許請求の範囲】
【請求項１】
ケースに設けた第二支軸に駆動歯車を、第一支軸に仲介歯車を介して前記駆動歯車に連動する従動歯車をそれぞれ回動可能に組付け、前記駆動歯車のボス部に供給リールを着脱可能に組付け、該供給リールに巻き付けた塗布膜転写テープの先端に接続した取付け片を、前記従動歯車のボス兼用の巻取りリールに取り外し可能に組付けると共に、該巻取りリールと同心円上にして巻取りリールの外側に設けた案内部片に、該巻取りリールによる使用済の前記塗布膜転写テープの巻取り方向と同方向に３６０°回動する回動片を係合し、該回動片の一端に転写ヘッドを設けた、塗布膜転写具。
【発明の詳細な説明】
【０００１】
【産業上の利用分野】
本発明は、片面に修正剤や蛍光剤などを塗布した塗布膜転写テープの修正剤等の転写膜を被転写面（紙面など）に転写するために用いる塗布膜転写具に関するものである。
【０００２】
【従来の技術】
動力伝達手段によって互いに連動する供給リール（コア）と巻取りリール（コア）をケース内に配置し、供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具は特開平９−２７２４号公報所載の通り公知で、この公知例は供給リールと巻取りリールを供給リールに巻回した塗布膜転写テープによって互いに一体的にし、これらリールを各リール用の軸に着脱自在に組付けて用いるようにしている。
【０００３】
【発明が解決しようとする課題】
前記公知例は前記の通りの構成であるので、スペア用としての塗布膜転写テープは、供給リールと巻取りリールを該塗布膜転写テープを介して一体的にした形態で保持しておく必要があるので、嵩ばり保管上煩雑で、使用済に際してはこれらリールを廃棄することになるので、感覚的にもったいないものになる。
【０００４】
【課題を解決するための手段】
ケースに設けた第二支軸に駆動歯車を、第一支軸に仲介歯車を介して前記駆動歯車に連動する従動歯車をそれぞれ回動可能に組付け、前記駆動歯車のボス部に供給リールを着脱可能に組付け、該供給リールに巻き付けた塗布膜転写テープの先端に接続した取付け片を、前記従動歯車のボス兼用の巻取りリールに取り外し可能に組付けると共に、該巻取りリールと同心円上にして巻取りリールの外側に設けた案内部片に、該巻取りリールによる使用済の前記塗布膜転写テープの巻取り方向と同方向に３６０°回動する回動片を係合し、該回動片の一端に転写ヘッドを設けた構成としたものである。
【０００５】
【実施例】
図面は本発明に係る塗布膜転写具の一実施例を示し、図１は使用状態を示す一部欠截正面図、図２は断面図、図３は供給リールを組付ける前の一部欠截正面図、図４は回動片と芯材を取り外して示した一部欠截正面図、図５は塗布膜転写テープの斜視図である。
【０００６】
図中、１は蓋枠２と共にケースＡを構成する基枠で、基枠１に筒状の第一支軸３と筒状の第二支軸４およびこれら支軸３，４間に介在させた、同じく筒状の第三支軸５を突設し、第一支軸３には従動歯車６のボス兼用の巻取りリール７を回転自在に組付け、該巻取りリール７の外側には、前記第一支軸３と同心円上にして、第一支軸３乃至巻取りリール７を部分的に取り囲むようにして前記基枠１に突設した、複数個の円弧状の案内部片８，８，８を突設し、この案内部片８，８，８に該案内部片８を内側に配するようにしてほぼリング状の回動片９を回動自在に係合し、該回動片９の一端に転写ヘッド１０を突設してある。
【０００７】
なお、回動片９に係止部片９ａを設け、該係止部片９ａを、基枠１に前記第一支軸３等と同方向にして突設した断面ややＬ字形の補強片１１の立ち上り部片１１ａに設けた透孔１２に、前記巻取りリール７による使用済の塗布膜転写テープａの巻取り方向と反対方向にのみ係止させるようにして、回動片９を図３の矢印方向にのみ３６０°回動できるようにしてある。
【０００８】
すなわち、回動片９は、塗布膜転写操作時（基枠１と蓋枠２を互いに組付けてケースＡとした時）には、前記転写ヘッド１０側の部片９´が、蓋枠２の先端側に設けた切欠２５に係合して、時計回りおよび反時計回り方向に係らず、その回動が規制されるが、基枠１より蓋枠２を取り外した時（概して、塗布膜転写テープａの装填時）は、蓋枠２による規制が解除されて、巻取りリール７による転写テープａの巻取り方向（図３にあっては時計回り方向）にのみ回動（３６０°）できるようにしてある。
【０００９】
前記巻取りリール７の軸線方向の先端側には、前記第一支持筒２を介して相対する位置にして一対の受入凹部１３，１３を設け、該受入凹部１３，１３に前記塗布膜転写テープａの先端に接続した（取付けた）コ形状の取付け片１４の脚部片１４ａ，１４ａを係合して、該取付け片１４を巻取りリール７に取り外し可能に組付けられるようにしてある。
【００１０】
前記第三支軸５には、第一支軸３に組付けた前記従動歯車６および第二支軸４に組付けた駆動歯車１５とかみ合う仲介歯車１６を回動自在に組付けてある。
【００１１】
前記駆動歯車１５はボス部１５ａにおいて前記第二支軸４に回動自在に組付け、前記ボス部１５ａを取り囲むようにして該ボス部１５ａと同心円上の外円筒部１５ｂを備えたもので、外円筒部１５ｂとボス部１５ａ間には、ボス部１５ａにその外側において回動可能に組付けた芯筒部１７ａと該芯筒部１７ａの周端に突設したばね性の圧接部片１７ｂ，１７ｂ，１７ｂ，１７ｂとから成る芯材１７を組付けてある。
【００１２】
芯材１７は、駆動歯車１５の外円筒部１５ｂの内周面に弾性の前記圧接部片１７ｂが圧接することにより、駆動歯車１５側からの回動力が伝達されて回動するようになっており、芯筒部１７ａの周面に受止部１８…を突設し、外受止部片１８，１８間に係合する係止部片１９…を供給リール２０の内周面に列設してある。
【００１３】
供給リール２０は、一対の部材を互いに組付けて構成し、主体筒部２０ａの両端に鍔部片２０ｂ，２０ｂを設けたボビン体の主体筒部２０ａに前記転写テープａを巻き付けて成り、主体筒部２０ａ内側には、前記の通り、係止部片１９…を設けて構成し、前記転写テープａの先端に中央部片１４ｂと前記一対の脚部片１４ａ，１４ａとで成るコ形状の前記取付け片１４を一方の脚部片１４ａにおいて取付けてある。
【００１４】
なお、前記駆動歯車１５に爪部片２１を設け、該爪部片２１を前記基枠１に設けたラチェット歯２２に係止するようにして一方方向へのみ回動するようにしてある。
【００１５】
また、駆動歯車１５のボス部１５ａの前記第二支軸４を被装する先端面に係止溝２３を設け、該係止溝２３に、基枠１に組付ける蓋枠２の窓口２４を通じて操作材を係止させて駆動歯車１５を回動させることにより、転写テープａの緩みを補正できるようにしてある。
【００１６】
しかして、供給リール２０を主体筒部２０ａにおいて芯材１７の芯筒部１７ａ、すなわち、駆動歯車１５ａのボス部１５ａに係合し、供給リール２０より導出した転写テープａの先端に備えた取付け片１４を脚部片１４ａにおいて巻取りリール７の受入凹部１３に係合して、図３の矢印方向に転写ヘッド１０を押圧すると、該転写ヘッド１０を設けた回動片９は回動し、テープａの中間部を押圧して３６０°回動して原位置に戻る。
【００１７】
この状態にして基枠１に蓋枠２と組付けて塗布膜の転写操作を行い、巻取りリール７側に転写済のテープを巻き取らせ、供給リール２０側の転写テープが尽きたとき、蓋枠２を基枠１より取り外し、供給リール２０と共に、巻取りリール７に巻き付けた転写済のテープを取付け片１４と一緒に取り外し、再び、先に示した順序で、新たな転写テープを装填するのである。
【００１８】
なお、蓋枠２を基枠１に組付けることにより、転写ヘッド１０の、巻取りリール７のテープ巻取り方向への回動は、回動片９が基枠１に係止して規制される。
【００１９】
【発明の効果】
本発明は前記の通りの構成であるから、従来のように供給リール（コア）および巻取りリール（コア）の一対一組のリール（コア）を必要としないでスペア用としての塗布膜転写テープを保持することができるから、材料の低減を図れ、転写テープの保管持ち運び上好適な転写具を提供できる。
【００２０】
殊に、取付け片を巻取りリールに組付けて、供給リールと巻取りリール間に転写テープを張設後、転写ヘッドを３６０°回動させるだけで該転写ヘッドを転写操作可能位置に配することができるから、転写テープの交換作業の簡単な転写具を提供できる。
【図面の簡単な説明】
【図１】使用状態を示す一部欠截正面図。
【図２】断面図。
【図３】供給リールを組付ける前の一部欠截正面図。
【図４】回動片と芯材を取り外して示した一部欠截正面図。
【図５】塗布膜転写テープの斜視図。
【符号の説明】
３          第一支軸
４          第二支軸
７          巻取りリール
８          案内部片
９          回動片
１０        転写ヘッド
１５        駆動歯車
１６        従動歯車
２０        供給リール
【図１】
0004136136.tif 000002
【図２】
0004136136.tif 000003
【図３】
0004136136.tif 000004
【図４】
0004136136.tif 000005
【図５】
0004136136.tif 000006